(57)【特許請求の範囲】
【請求項１】
直交周波数分割多元接続通信システムにおいて、トランスポートブロック（ＴＢ）のデータ伝送をスケジューリングする方法であって、該トランスポートブロック（ＴＢ）のそれぞれが、周波数領域において、物理リソースブロック（ＰＲＢ）のセットで、個々の伝送フォーマット（ＩＭＣＳ）及び伝送電力（Ｐ）で伝送され、前記方法は、
−伝送フォーマット（ＩＭＣＳ）のセットについて、伝送電力とブロック誤り率（ＢＬＥＲ）との関係を特定するステップと、
−前記トランスポートブロック（ＴＢ）の少なくとも１つのために、代替の伝送フォーマット（ＩＭＣＳ）及び異なる物理リソースブロック数（ＮＰＲＢ）を評価するステップと
を含み、該評価するステップは、
ａ）前記トランスポートブロック（ＴＢ）のために、異なる物理リソースブロック数（ＮＰＲＢ）をもつ代替の伝送フォーマット（ＩＭＣＳ）のセットを求めるステップと、
ｂ）異なる物理リソースブロック数（ＮＰＲＢ）をもつ代替の伝送フォーマット（ＩＭＣＳ）の前記セットが空ではない場合に、前記関係の関数として前記代替の伝送フォーマット（ＩＭＣＳ）及び異なる物理リソースブロック数（ＮＰＲＢ）の少なくとも１つについてある値を求めるステップであって、該値は、前記トランスポートブロック（ＴＢ）を前記代替の伝送フォーマット（ＩＭＣＳ）と前記異なる物理リソースブロック数（ＮＰＲＢ）とで伝送し、かつ目標ブロック誤り率（ＢＬＥＲＴ）を確実にするために必要な総電力差を示す、ステップと
ｃ）前記値が、総伝送電力がより低いことを示す場合に、前記トランスポートブロック（ＴＢ）を、前記代替の伝送フォーマット（ＩＭＣＳ）と前記異なる物理リソースブロック数（ＮＰＲＢ）とで伝送するためにスケジューリングするステップと
を実行することによって実行する、方法。
【請求項２】
請求項１記載の方法であって、前記トランスポートブロック（ＴＢ）はトランスポートブロックサイズ（ＴＢＳ）を有し、異なる物理リソースブロック数（ＮＰＲＢ）をもつ代替の伝送フォーマット（ＩＭＣＳ）のセットを求める前記ステップは、代替の伝送フォーマット（ＩＭＣＳ）及び物理リソースブロック数（ＮＰＲＢ）を求めるステップを含み、該代替の伝送フォーマット（ＩＭＣＳ）及び物理リソースブロック数（ＮＰＲＢ）は、前記トランスポートブロック（ＴＢ）の前記トランスポートブロックサイズ（ＴＢＳ）を伝送するために用いることができる、方法。
【請求項３】
請求項１又は２記載の方法であって、該方法は、代替の伝送フォーマット（ＩＭＣＳ）及び物理リソースブロック数（ＮＰＲＢ）の前記セットのうちの各代替の伝送フォーマット（ＩＭＣＳ）及び物理リソースブロック数（ＮＰＲＢ）について、総電力差を示す値を求めるステップと、前記トランスポートブロック（ＴＢ）を、前記代替の伝送フォーマット（ＩＭＣＳ）及び物理リソースブロック数（ＮＰＲＢ）で伝送するために、スケジューリングを行うステップとを含み、該スケジューリングは最良の伝送電力利得をもたらす、方法。
【請求項４】
請求項１から３のいずれか一項に記載の方法であって、異なる物理リソースブロック数（ＮＰＲＢ）をもつ代替の伝送フォーマット（ＩＭＣＳ）のセットを求める前記ステップは、未使用の物理リソースブロック（ＰＲＢ）のセットを求めるステップを含み、該未使用の物理リソースブロック（ＰＲＢ）のセットは前記トランスポートブロック（ＴＢ）を伝送するために使用される、方法。
【請求項５】
請求項４記載の方法であって、未使用の物理リソースブロック（ＰＲＢ）のセットを求める前記ステップは、前記物理リソースブロック（ＰＲＢ）のチャネル品質インジケータ（ＣＱＩ）のセットを求めるステップと、前記未使用の物理リソースブロック（ＰＲＢ）のチャネル品質インジケータ（ＣＱＩ）と集合チャネル品質インジケータ（ＣＱＩ）インデックスとを比較するステップとを含み、該集合チャネル品質インジケータ（ＣＱＩ）インデックスは、前記トランスポートブロック（ＴＢ）の物理リソースブロック（ＰＲＢ）の前記セットのうちの物理リソースブロック（ＰＲＢ）のチャネル品質インジケータ（ＣＱＩ）の関数として求められる、方法。
【請求項６】
請求項１から５のいずれか一項に記載の方法であって、ある値を求める前記ステップであって、該値は、前記トランスポートブロック（ＴＢ）を前記代替の伝送フォーマット（ＩＭＣＳ）と前記異なる物理リソースブロック数（ＮＰＲＢ）とで伝送するために必要な総電力差を示す、前記ステップは、
−前記代替の伝送フォーマット（ＩＭＣＳ）へ移行し、かつ同じ目標ブロック誤り率（ＢＬＥＲＴ）を維持するときの利得を示す値（ａ）を求めるステップと、
−前記異なる物理リソースブロック数（ＮＰＲＢ）に移行するときの利得を示す値を求めるステップと、
−前記総電力差を、前記代替の伝送フォーマット（ＩＭＣＳ）へ移行するときの利得を示す前記値（ａ）と、前記異なる物理リソースブロック数（ＮＰＲＢ）に移行するときの利得を示す前記値との合算として、計算するステップと
を含む、方法。
【請求項７】
請求項１から６のいずれか一項に記載の方法であって、該方法は、前記トランスポートブロックを同じ目標ブロック誤り率（ＢＬＥＲＴ）で伝送するために、前記伝送電力（Ｐ）を修正するステップを含む、方法。
【請求項８】
請求項１から７のいずれか一項に記載の方法であって、該方法は、
−所与の伝送時間間隔で、各トランスポートブロック（ＴＢ）のために、代替の伝送フォーマット（ＩＭＣＳ）及び異なる物理リソースブロック数（ＮＰＲＢ）を評価するステップと、
−前記トランスポートブロックの、代替の伝送フォーマット（ＩＭＣＳ）と異なる物理リソースブロック数（ＮＰＲＢ）との可能な組み合わせのそれぞれについて、集合利得関数を計算するステップと、
−最良の集合利得を提供する組み合わせを選択するステップと
を含む、方法。
【請求項９】
直交周波数分割多元接続通信システムにおいて、トランスポートブロック（ＴＢ）のデータ伝送をスケジューリングするための基地局であって、該トランスポートブロック（ＴＢ）のそれぞれが、周波数領域において、物理リソースブロック（ＰＲＢ）のセットで、個々の伝送フォーマット（ＩＭＣＳ）及び伝送電力（Ｐ）で伝送され、該基地局（ＢＳ）は、請求項１から８までのいずれか一項に記載の方法を実行するための制御モジュール（１１０）を備えた、基地局。
【請求項１０】
請求項９記載の基地局において、該基地局は、ロング・ターム・エボリューション又はロング・ターム・エボリューション−アドバンスト通信ネットワークの拡張ノードＢである、基地局。
【請求項１１】
コンピュータプログラムであって、少なくとも１つのコンピュータのメモリにロード可能であり、該プログラムがコンピュータ上で実行されたときに請求項１から８のいずれか一項に記載の方法のステップを実行するためのソフトウェアコード部分を含むコンピュータプログラム。
【発明の詳細な説明】
【技術分野】
【０００１】
本開示は、通信ネットワークにおいてデータ伝送をスケジューリングするための技術に関する。この開示は、直交周波数分割多元接続通信ネットワークにおいて、エネルギ効率の良いダウンリンク通信を提供するために使用できることに留意して開発された。
【背景技術】
【０００２】
関連技術の説明
モバイルネットワークにおけるエネルギ需要の高まりにより、通信ネットワークのネットワーク要素にはエネルギ効率の良さが必要とされている。例えば、これにより電力消費を低減し、ネットワークの運用コストを削減することができる。
【０００３】
例えば、エネルギの効率化は、モバイル端末と基地局との間のアップリンク（ＵＬ）通信では周知の問題である。
例えば、文書ＵＳ−Ａ−２００９／００６９０５７には、アップリンク方向について、モバイル端末の電力消費を最小限に抑えるための解決策が記載されている。詳細には、アルゴリズムは経路損失に基づくものであって、ユーザ装置（ＵＥ）によるリソース割り当て、及びノードＢすなわち基地局（ＢＳ）によるリソース割り当ての要求に応じて特定のタイプの伝送方式を示している。
【０００４】
しかし、ダウンリンク（ＤＬ）方向は今までほとんど注目されていない。現在使用されているパケットスケジューラ及びリソース割り当て器の多くは、エネルギ効率を全く考慮しておらず、例えばユーザ間における公平性を保証するために、セル全体のスループットを最大にすることのみに目が向けられている。
【０００５】
例えば、Ｓｃｈｕｒｇｅｒｓ、Ａｂｅｒｔｈｏｒｎｅ、及びＳｒｉｖａｓｔａｖａによる論文である、”Ｍｏｄｕｌａｔｉｏｎ  Ｓｃａｌｉｎｇ  ｆｏｒ  Ｅｎｅｒｇｙ  Ａｗａｒｅ  Ｃｏｍｍｕｎｉｃａｔｉｏｎ  Ｓｙｓｔｅｍｓ”，ＩＳＬＰＥＤ'０１，  Ａｕｇｕｓｔ  ６−７，  ２００１，  Ｈｕｎｔｉｎｇｔｏｎ  Ｂｅａｃｈ，  Ｃａｌｉｆｏｒｎｉａ，  ＵＳＡには、エネルギを節約するために変調スケーリングを用いることが記載されている。
【０００６】
さらに、文書ＷＯ−Ａ−２００９／３４０８９は、ＣＤＭＡシステムのための解決策を開示しているが、ここで電力を意識したリンク適応はスループット要件及び経路損失に基づいている。
【発明の概要】
【発明が解決しようとする課題】
【０００７】
本発明の目的及び概要
本発明の発明者は、上記の解決策は、ダウンリンク（ＤＬ）方向におけるエネルギ効率を最適化するためにロング・ターム・エボリューション（Ｌｏｎｇ  Ｔｅｒｍ  Ｅｖｏｌｕｔｉｏｎ：ＬＴＥ）又はロング・ターム・エボリューション−アドバンスト（ＬＴＥ−Ａｄｖａｎｃｅｄ）モバイルネットワーク等の直交周波数分割多元接続（ＯＦＤＭＡ）通信システムで用いると、ＱｏＳを損なう結果になることに注目した。
【０００８】
さらに、本発明の発明者は、ＤＬ方向においてエネルギ効率化を実現するためには、既存のスケジューラ又はリソース割り当て器の実質的な修正が必要になることに注目した。
したがって、このような欠点を解決する改善された解決策の必要性が感じられる。
【課題を解決するための手段】
【０００９】
本発明によれば、本発明の目的は、以下に記す請求項に記載の特徴を有する方法によって達成される。本発明はさらに、対応する基地局及び、コンピュータプログラム製品に関し、プログラム製品は、少なくとも１つのコンピュータのメモリにロード可能であって、コンピュータ上で実行される場合に本発明の方法のステップを行うためのソフトウェアコード部分を含む。本明細書では、そのようなコンピュータプログラム製品への言及は、コンピュータシステムを制御して本発明の方法の実行を調整させるための命令を備えるコンピュータ可読媒体への言及に等しいものとする。「少なくとも１つのコンピュータ」への言及は、本発明が分散／モジュール方式で実装される可能性を強調することを意図している。
【００１０】
請求項は、本明細書で規定される本開示の不可欠な部分である。
さまざまな実施形態は、エネルギ効率化の目的も考慮した、ダウンリンクのスケジューリング及びリソース割り当てを提供する。
【００１１】
さまざまな実施形態では、エネルギの効率化は、従来型のパケットスケジューラ又はリソース割り当て器により行われた決定を修正することにより達成され、この従来型のパケットスケジューラ又はリソース割り当て器は、ＬＴＥ又はＬＴＥ−Ａｄｖａｎｃｅｄシステムの拡張ノードＢ（ｅＮＢ）等のＯＦＤＭＡ通信システムの基地局にすでに実装されているものである。例えば、さまざまな実施形態は、この目的のために追加のポスト−エラボレーション（ｐｏｓｔ−ｅｌａｂｏｒａｔｉｏｎ）モジュールを設ける。
【００１２】
本明細書に記載のさまざまな実施形態は、セル全体の予想平均ＤＬスループットを変えるものではない。逆に、本明細書に記載の解決策は、基地局にすでに実装されている任意のスケジューリングアルゴリズムとともに用いることができる。
【００１３】
さまざまな実施形態では、基地局はリンク層モデルを記憶しており、リンク層モデルは、１セットの伝送フォーマットについて、伝送電力例えば信号対干渉及び雑音比（ＳＩＮＲ）と、ブロック誤り率（ＢＬＥＲ）との関係を表すものである。
【００１４】
さまざまな実施形態では、リンク層モデルは、所与の伝送時間間隔（ＴＴＩ）におけるトランスポートブロックの伝送のために、代替の伝送フォーマットと異なる物理リソースブロック数（ＰＲＢ）とを評価するために用いられる。
【００１５】
例えば、さまざまな実施形態では、基地局は、異なる物理リソースブロック数をもつ１セットの可能な代替の伝送フォーマットを求め、そしてリンク層モデルに基づいてある値を求め、この値は、上記代替の伝送フォーマット及び異なる物理リソースブロック数でトランスポートブロックを伝送しなおかつ目標ブロック誤り率を確実にするために必要とされる総電力差を示すものである。
【００１６】
最後に、総伝送電力が減少する場合は、基地局は、トランスポートブロックを代替の伝送フォーマット及び異なる物理リソースブロック数で伝送することができる。
例えば、さまざまな実施形態では、基地局は、同一の変調を有する代替の伝送フォーマットを評価する。
【００１７】
したがって、提案される解決策は、エネルギの節約をもたらすが、セル全体の予想平均ＤＬスループットは変化していない。すなわち、得られる伝送電力は常に従来のものと同等か又はそれより小さい。
【００１８】
本発明を添付図面を参照して記載するが、これは例示にすぎない。
【図面の簡単な説明】
【００１９】
【図１】従来技術の通信システムを示す。
【図２】エネルギ効率ポスト−エラボレーションブロックを備える通信システムの実施形態を示す。
【図３】可能な変調及び符号化方式のテーブルを示す。
【図４】図２のエネルギ効率ポスト−エラボレーションブロックの実施形態を示す。
【図５】可能なチャネル品質インジケータテーブルを示す。
【図６】トランスポートブロックサイズインデックスと、物理リソースブロック数と、対応するトランスポートブロックサイズとの、可能な関連付けを示す。
【図７】トランスポートブロックサイズインデックスと、物理リソースブロック数と、対応するトランスポートブロックサイズとの、可能な関連付けを示す。
【図８】本発明の実施形態を示すために、可能なリンク曲線及びリソース割り当てを示す。
【図９】本発明の実施形態を示すために、可能なリンク曲線及びリソース割り当てを示す。
【図１０ａ】本発明の実施形態を示すために、可能なリンク曲線及びリソース割り当てを示す。
【図１０ｂ】本発明の実施形態を示すために、可能なリンク曲線及びリソース割り当てを示す。
【図１１】本発明の実施形態を示すために、可能なリンク曲線及びリソース割り当てを示す。
【図１２ａ】本発明の実施形態を示すために、可能なリンク曲線及びリソース割り当てを示す。
【図１２ｂ】本発明の実施形態を示すために、可能なリンク曲線及びリソース割り当てを示す。
【図１３】本発明の実施形態を示すために、可能なリンク曲線及びリソース割り当てを示す。
【発明を実施するための形態】
【００２０】
以下の記載には、実施形態の完全な理解を提供するために多数の特定の詳細が含まれている。実施形態は、１又は複数のこれらの特定の詳細を用いずに実施してもよいし、あるいは他の方法、コンポーネント、材料等を用いて実施してもよい。また、周知の構造、材料、又は動作を詳細に表示又は記載していないのは、実施形態の態様が曖昧にならないようにするためである。
【００２１】
本明細書全体において、「一実施形態」又は「一つの実施形態」への言及は、その実施形態に関して記載された特定の特徴、構造、又は特性が少なくとも１つの実施形態に含まれていることを意味する。したがって、「一実施形態では」又は「一つの実施形態において」という語句が本明細書全体を通じ随所に現れるが、それらが全て同一の実施形態を指しているわけではない。さらに、特定の特徴、構造、又は特性は、１又は複数の実施形態において任意の適宜の方法で組み合わせてもよい。
【００２２】
本明細書において、見出しは便宜上記載しただけであり、実施形態の範囲又は意味を説明するものではない。
上述したように、本明細書に記載のさまざまな実施形態は、エネルギ効率化の目的を考慮にいれてスケジューリング及びリソース割り当てを実行する構成を提供する。
【００２３】
図１は、基地局ＢＳ（例えば、ＬＴＥ通信システムのｅＮＢ）、及びモバイル端末等の複数のユーザ装置（ＵＥ）を備えた、従来のＯＦＤＭＡ通信システムの構造を示す。
基地局ＢＳは、それぞれのデータストリームのデータパケットが記憶されている複数のキュー１０２を備える。例えば、キュー１０２は、先入先出（ＦＩＦＯ）メモリを用いて実装される。
【００２４】
続いて、スケジューリングモジュール１０４が、特定の伝送時間間隔（ＴＴＩ）に伝送されるべきデータパケットを選択するためにスケジューリング／リソース割り当て動作を実行し、リソースグリッド（ｒｅｓｏｕｒｃｅ  ｇｒｉｄ）が、パケットを物理リソースブロック（ＰＲＢ）に割り当てることにより満たされる。
【００２５】
それからＰＲＢが、選択されたトランスポートフォーマットに従って、物理層１０６、電力増幅器１０８、及びアンテナＡを介してモバイル端末ＵＥに伝送される。一般に、所与のＴＴＩにおける伝送はＲＦ電力Ｐ１［Ｗ］及びデータスループットＴ１［Ｍｂｐｓ］を有する。
【００２６】
図２は、可能な実施形態を示しており、エネルギ効率（ＥＥ）ポスト−エラボレーションブロック１１０が、スケジューラ１０４と物理層１０６の間に挿入されている。同じくこの場合にも、所与のＴＴＩにおける伝送はＲＦ電力Ｐ２［Ｗ］及びデータスループットＴ２［Ｍｂｐｓ］を有する。
【００２７】
さまざまな実施形態では、ブロック１１０はＤＬ伝送電力を低減、すなわちＰ２≦Ｐ１にし、なおかつ予想平均スループットを維持する、すなわちＴ２＝Ｔ１にすることが可能である。
【００２８】
さまざまな実施形態では、ブロック１１０は、制御装置により、すなわち例えば、処理装置上で動作するソフトウェアコード部分により実施される。
さまざまな実施形態では、パケットスケジューリング及びリソース割り当てブロック１０４は、スケジューリングされるトランスポートブロック（ＴＢ）のそれぞれで目標トランスポートブロック誤り率（ＢＬＥＲ）を保証するために、使用されるべき適切な変調及び符号化方式（ＭＣＳ）ＩＭＣＳについての予備的な決定を行う。
【００２９】
例えば、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）のＬＴＥ仕様に従うと、ＭＣＳ方式ＩＭＣＳは、変調レートＱｍをもつ特定の変調及びインデックスＩＴＢＳをもつ特定のトランスポートブロックサイズ（ＴＢＳ）に対応する。
【００３０】
その点に関し、図３は、物理ダウンリンク共有チャネル（ＰＤＳＣＨ）のＭＣＳインデックスＩＭＣＳと、変調レートＱｍと、ＴＢＳインデックスＩＴＢＳとの可能な関連付けであり、これは、文書３ＧＰＰ  ＴＳ  ３６．２１３  Ｖ８．７．０  （２００９−０５）  ”３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）  ；  Ｐｈｙｓｉｃａｌ  ｌａｙｅｒ  ｐｒｏｃｅｄｕｒｅｓ  （Ｒｅｌｅａｓｅ  ８）”のセクション７．１．７．１のテーブル７．１．７．１−１に対応している。図３に示す例では、変調レートは、ＱＰＳＫでＱｍ＝２、１６ＱＡＭでＱｍ＝４、又は６４ＱＡＭでＱｍ＝６とすることができる。
【００３１】
さまざまな実施形態では、ブロック１１０は、スケジューラの決定を修正し、なおかつ同じ目標ＢＬＥＲを維持する。本発明の発明者は、エネルギ効率化の目指すところは、サービス品質（ＱｏＳ）要件及びスループット最大化の一方または双方が目的とするところとは大きく異なっていることに注目した。したがって、さまざまな実施形態では、パケットスケジューラ１０４が、ＱｏＳの要件を満たすために決定を行うことができ、そして後続のＥＥブロック１１０が、ＱｏＳを損なわないようにして、エネルギ的見地から伝送をより効率的なものにしようとする。
【００３２】
図４は、パケットスケジューラ及びリソース割り当て器ブロック１０４とＥＥポスト−エラボレーションブロック１１０との協調の、可能な実施形態を示す。
さまざまな実施形態では、ＥＥポスト−エラボレーションブロック１１０はパケットスケジューラ１０４から情報１１２を受け、この情報１１２が、考慮されるＴＴＩ及び予備的なリソース割り当て（すなわち、個々の周波数位置）に対するスケジューリングされたトランスポートブロックを特定する。
【００３３】
例えば、ＬＴＥシステムの場合であれば、情報１１２はスケジューリングされたトランスポートブロックＴＢのセットを含み、さらにトランスポートブロックサイズＴＢＳｋ（ｋ＝１，２，．．．，Ｋ）を有する各スケジューリングされたトランスポートブロックＴＢｋについて、考慮されるＴＴＩに割り当てられたＰＲＢの位置を含むことができる。
【００３４】
さまざまな実施形態では、ＥＥポスト−エラボレーションブロック１１０はさらに、該ＴＴＩの各ＴＢについて、個々の予備的な伝送フォーマット１１４（例えば、各パケットのＰＲＢ数、並びに変調及び符号化方式）及び伝送のための予備的な電力レベル１１６をパケットスケジューラ１０４から受ける。
【００３５】
例えば、ＬＴＥシステムでは、予備的な伝送フォーマット１１４は、各スケジューリングされたトランスポートブロックＴＢｋについて、次のパラメータを含むことができる。
−ｋ番目のトランスポートブロックＴＢＳｋのトランスポートブロックサイズであって、例えばビットで表わされるもの
−スケジューラ１０４により選択されたＭＣＳ方式ＩＭＣＳであって、選ばればれた変調レートＱｍ及びＴＢＳインデックスＩＴＢＳを表すもの、及び
−用いられたＰＲＢ数であるＮＰＲＢ
例えば、ＬＴＥシステムでは、予備的な電力レベル１１６は値Ｐｉｎｐｕｔ（ｋ）を含むことができ、値Ｐｉｎｐｕｔ（ｋ）は、スケジューリングされた各トランスポートブロックＴＢｋについて、ＰＤＳＣＨの１リソース要素あたりのエネルギ（ＥＰＲＥ）を特定するものである。従来のシステムでは、値Ｐｉｎｐｕｔ（ｋ）は、ＵＥに対してＰＤＳＣＨのリソース要素（リソースエレメント：ＲＥ）の現在の電力レベルを知らせるための専用ＲＲＣメッセージを構築する必要があることを、より上位のレベルに通信するために用いられるのが通常である。
【００３６】
さまざまな実施形態では、ブロック１１０はさらに、基地局ＢＳ及びモバイル端末ＵＥ間の通信チャネルの品質を特定する値１３２と、リンク層モデル１３４とを受ける。
例えば考慮される実施形態では、値１３２は、ＴＴＩにスケジューリングされた全てのトランスポートブロックに関するチャネル品質インジケータ（ＣＱＩ）マトリクスの形で提供されてもよく、ここでＣＱＩマトリクスはＰＲＢレベルで定められてもよい。
【００３７】
例えば、ＣＱＩマトリクスＣは、各スケジューリングされたトランスポートブロックＴＢｋ及び帯域幅／位置ｐにおける各物理リソースブロックＰＲＢＰのＣＱＩインデックスｃ（ｐ，  ｋ）を含むことができる。
【００３８】
例えば、ＣＱＩマトリクスＣは、ｋ＝１，．．．，ＫのトランスポートブロックのそれぞれのＣＱＩアレイｃ（ｋ）を含むことができる。
【００３９】
【数１】
0005491642.tif 000002
【００４０】
当業者であれば、ＣＱＩアレイの上記の定式化は一般に、例えばＬＴＥシステムへの適用が可能であり、ＬＴＥシステムにおいて、各ＰＲＢのＣＱＩ値が利用不可能な場合、及び、単一のＣＱＩインデックスが複数のＰＲＢに関連付けることができる場合の一方又は双方であってもよいことが理解できるであろう。
【００４１】
さらに、当業者であれば、ＣＱＩインデックスが提供されるのは、ユーザ単位（すなわち、モバイル端末当たり）であってトランスポートブロック単位ではないことが理解できるであろう。可能な解決策は、個々のユーザに対し１つのトランスポートブロックのみを伝送すること、又は同一のＣＱＩインデックス（又はアレイ）を所与のユーザの全てのトランスポートブロックに適用することになるであろう。したがって、以下の記載において、単純化するために、各トランスポートブロックは単一のユーザにのみ対応するものと仮定しても一般性を失うことない。
【００４２】
さまざまな実施形態では、ＣＱＩ値はモバイル端末ＵＥにより提供されるフィードバック情報から直接取り出される。
例えば、図５は４ビットＣＱＩインデックスの可能な定義であり、トランスポートブロックのスペクトル効率ＳＥを保証するために必要とされる個々の変調ＭＯＤ及び目標符号化率ＣＲを定めるものである。詳細には、図５は、文書３ＧＰＰ  ＴＳ  ３６．２１３  Ｖ８．７．０  （２００９−０５）  ”３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）  ；  Ｐｈｙｓｉｃａｌ  ｌａｙｅｒ  ｐｒｏｃｅｄｕｒｅｓ  （Ｒｅｌｅａｓｅ  ８）”のセクション７．２．３  のテーブル７．２．３−１に対応している。
【００４３】
また、ｅＮＢ内における中間の後処理が、チャネル品質値を計算するために用いられることもある。
さまざまな実施形態では、リンク層モデル１３４は、個々の規格（例えば、各トランスポートブロックサイズＴＢＳ及び各変調レートＱｍの規格）で許容される各伝送フォーマットについて、信号対干渉及び雑音比（ＳＩＮＲ）の観点から、個々の動作点（ｗｏｒｋｉｎｇ  ｐｏｉｎｔ）を定めるものである。例えば、リンク層モデル１３２は動的に計算されてもよいし、事前に計算されてメモリに記憶されてもよい。
【００４４】
さまざまな実施形態では、ブロック１１０は、考慮されるＴＴＩ及び他の関連パラメータ等の、さらなる情報１３０も受ける。
さまざまな実施形態では、上記の情報は、更新伝送フォーマット１２４及び更新リソース割り当て１２２を生成するために用いられる。
【００４５】
例えば、さまざまな実施形態では、ブロック１１０は、チャネル復号器により使用される冗長ビットの数を変更することができる。したがって、スケジューリングされたＴＢのセットは変わらないままで、異なった数のＰＲＢを用いてこれらのＴＢを伝送すること、及びこれらのパケットのサブセットの位置を該ＴＴＩに再割り当てすること、の一方又は双方を行うことができる。
【００４６】
例えば、更新伝送フォーマット１２４は、各スケジューリングされたトランスポートブロックＴＢｋについて次のパラメータを含むことができる。
−トランスポートブロックサイズＴＢＳｋ（これは変更されていない）
−ＭＣＳ方式ＩＭＣＳ、及び
−用いられるＰＲＢ数ＮＰＲＢ
更新リソース割り当て１２２は、スケジューリングされたＴＢのセット（これは変更されていない）、及び各スケジューリングされたＴＢｋ（長さＴＢＳｋを有する）について、考慮されるＴＴＩに割り当てされたＰＲＢの位置を含むことができる。
【００４７】
さまざまな実施形態では、更新トランスポートフォーマット１２４が復号器に提供され、更新リソース割り当て１２２は物理層１０６に提供される。
さまざまな実施形態では、ブロック１１０はさらに、更新リソース割り当て１２２及び更新トランスポートフォーマット１２４を補償するために、更新電力レベル１２６を生成する。
【００４８】
例えば、更新電力レベル１２６は、各スケジューリングされたＴＢｋの更新ＰＤＳＣＨのＥＰＲＥの電力値Ｐｏｕｔｐｕｔ（ｋ）を含むことができる。
例えば、更新電力レベルは、修正されたパケットのサブセットの更新電力レベル（ＰＤＳＣＨのＥＰＲＥ）を端末ＵＥに知らせることができるＲＲＣメッセージを構築するために、上位層に提供することができる。例えば、さまざまな実施形態では、変更のないパケットに関する電力レベルは同じままであるので、対応するＲＲＣメッセージは構築されない。
【００４９】
さまざまな実施形態では、リソース割り当てブロック１１０は以下の動作を実行する。
１）初期化する
２）考慮されるＴＴＩのための入力を受ける
３）ＥＥポスト−エラボレーションのためのトランスポートブロック候補のサブセットを選ぶ
４）エネルギ効率も考慮した更新リソース割り当てを求める、及び
５）考慮されるＴＴＩのための出力を行う
さまざまな実施形態では、各トランスポートブロックについて以下のステップを実行することにより、更新解決策が求められる。
ａ）ＭＣＳを再マッピングする
ｂ）電力調整を行う、及び
ｃ）最良のＥＥ解決策を選択する
さまざまな実施形態では、上記のステップが各ＴＴＩについて実行される。すなわち、スケジューラ１０４から入る各スケジューリング／リソース割り当ての決定は、新しい更新スケジューリング／リソース割り当ての決定を出力するために、検証される。ブロック１１０はさらに、予備的なスケジューリング／リソース割り当ての決定が利用可能であれば、未来のＴＴＩを調べることによりあらかじめ動作することができる。
【００５０】
３ＧＰＰのＬＴＥ基地局、すなわちｅＮＢにおける解決策の、可能な実施形態を以下に記す。
さまざまな実施形態では、ｅＮＢは、３ＧＰＰ規格により許容されるトランスポートブロックサイズＴＢＳｋの各可能な値、及び各伝送フォーマットについて、次のような初期化を実行する。例えば、初期化は、動的にプロビジョニングする間及び他の予備的な段階の一方又は双方に実行される。すなわち、初期化は、ブロック１１０がスケジューリングブロック１０４からの結果に対して動作する前に完了しさえすればよい。
【００５１】
例えば、さまざまな実施形態では、ルックアップテーブルが３ＧＰＰのＬＴＥの仕様に従って計算されてメモリに記憶される。
その点に関し、図６はこのルックアップテーブルの可能な実施形態を部分的に示しており、このルックアップテーブルは、文書３ＧＰＰ  ＴＳ  ３６．２１３  Ｖ８．７．０  （２００９−０５）  ”３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）  ；  Ｐｈｙｓｉｃａｌ  ｌａｙｅｒ  ｐｒｏｃｅｄｕｒｅｓ  （Ｒｅｌｅａｓｅ  ８）”のセクション７．１．７．２．１のテーブル７．１．７．２．１−１の要素を並べ替えることで得られたものであり、これは図７にも部分的に用いられている。
【００５２】
詳細には、図７に示されるテーブルの行は、特定のＴＢＳインデックスＩＴＢＳに関係しており、それぞれの使用されるＰＲＢの数ＮＰＲＢに対するトランスポートブロックサイズＴＢＳの値を含む。
【００５３】
考慮される実施形態において、図６に示すテーブルは、トランスポートブロックサイズテーブルにより許容されるトランスポートブロックサイズＴＢＳをリスト化するために、図７に示すテーブルをまとめ直すことにより得られたものである。
【００５４】
考慮される実施形態では、許容される各ＴＢＳについて、全ての可能な組み合わせ（ＩＴＢＳ，  ＮＰＲＢ）が、ＮＰＲＢの昇順でリストされている。例えば、これは単にトランスポートブロックサイズテーブルにおいて同一のＴＢＳの発生を探し、対応する組み合わせ（ＩＴＢＳ，  ＮＰＲＢ）を正しい順にリストすることにより行うことができる。
【００５５】
図６に示されるテーブルのエントリ「ｎ．ａ．」は、所与のトランスポートブロックサイズＴＢＳについて、それ以上の組み合わせ（ＩＴＢＳ，  ＮＰＲＢ）は利用できなかったことを示す。
【００５６】
さまざまな実施形態では、ｅＮＢは利得要素（ｉ，  ｊ）のセットも計算（及び可能であれば記憶）する。
例えば、特定のトランスポートブロックサイズＴＢＳ及び特定の変調レートＱｍが与えられれば、利得要素ａ（ｉ，  ｊ）（ｄＢで表す）は、ｉ番目の伝送フォーマットからｊ番目の伝送フォーマットへ移行し、なおかつ同一の目標ブロック誤り率ＢＬＥＲＴを維持できるようにするために得られる電力利得（又は正であれば損失）として計算することができる。この利得計算は、ｅＮＢにおいてその内部リンク層モデル、例えばリンク層曲線を用いて行うことができる。
【００５７】
例えば、図８は、２つの可能なリンク層曲線ｉ及びｊを示し、ここでリンク層曲線のそれぞれが、信号対干渉及び雑音比ＳＩＮＲとブロック誤り率ＢＬＥＲとのそれぞれの関係を提供している。
【００５８】
例えば、利得要素ａ（ｉ，  ｊ）は、所与の伝送フォーマットの変化についての、２つのリンク曲線間のＳＩＮＲ（目標ブロック誤り率ＢＬＥＲＴにおける）に関する利得（ｄＢで表す）として計算することができる。すなわち、ａ（ｉ，  ｊ）＝ＳＩＮＲｊ−ＳＩＮＲｉである。
【００５９】
例えば、図８では、所与の目標ブロック誤り率ＢＬＥＲＴでリンク曲線ｉからリンク曲線ｊに移行すると、利得要素ａ（ｉ，  ｊ）は−７．５ｄＢという値になる。
例えば、トランスポートブロックサイズＴＢＳが５６ビットと等しい場合には、次のような伝送フォーマットが可能である（図６参照）。
−伝送フォーマット＃０，  （ＩＴＢＳ，  ＮＰＲＢ）＝（４，１）
−伝送フォーマット＃１，  （ＩＴＢＳ，  ＮＰＲＢ）−（１，２）
−伝送フォーマット＃２，  （ＩＴＢＳ，  ＮＰＲＢ）＝（０，３）
例えば、従来の伝送フォーマット＃１から開始して、リンク層曲線は次のような値を与えることがある（例えば、目標ＢＬＥＲＴが０．１とする）
−ａ（１，０）＝＋３ｄＢ
−ａ（１，１）＝０ｄＢ（定義により）
−ａ（１，２）＝−７，５ｄＢ
結果として、伝送フォーマットｉ＝１から伝送フォーマットｊ＝２へ移行することで、ａ（１，２）＝−７，５ｄＢの利得が生じる。逆に、伝送フォーマットｉ＝１から伝送フォーマットｊ＝０へ移行すると、（１，０）＝＋３ｄＢの利得が生じることになる。
【００６０】
さまざまな実施形態では、ｅＮＢはＰＲＢ比のセットも計算（及び可能であれば記憶）する。
例えば、規格により許容される全てのトランスポートブロックサイズについて、（同じ変調レートＱｍを維持したまま）ｉ番目の伝送フォーマットからｊ番目の伝送フォーマットに移行するときの、使用されるＰＲＢ数の差を表す個々の比ｂ（ｉ，  ｊ）は、
【００６１】
【数２】
0005491642.tif 000003
【００６２】
のように計算することができる。
したがって、この定義は、考慮されるデータ転送の変調及びＰＤＳＣＨのＥＰＲＥを変えずに伝送フォーマットの変更を補償するために必要な、電力の変化を表す。
【００６３】
例えば、トランスポートブロックサイズＴＢＳが５６ビットと等しい場合に、
−伝送フォーマット＃１，（ＩＴＢＳ，  ＮＰＲＢ）＝（１，２）
−伝送フォーマット＃２，（ＩＴＢＳ，  ＮＰＲＢ）＝（０，３）
を用いてｉ＝１からｊ＝２へ移行して、なおかつＱＰＳＫ変調（Ｑｍ＝２）を維持するとき、ＰＲＢ比は、
【００６４】
【数３】
0005491642.tif 000004
【００６５】
のように計算される。
続いて、正常処理（ｎｏｒｍａｌ  ｐｒｏｃｅｓｓｉｎｇ）の間に、ブロック１１０は、入力で既存のスケジューラ１０４からくる全ての情報を受ける。詳細には、所与のＴＴＩにスケジューリングされることになる各トランスポートブロックＴＢｋがブロック１１０に与えられる。
【００６６】
さまざまな実施形態では、ブロック１１０はさらに、次のようなパラメータを受ける。
−トランスポートブロックサイズＴＢＳｋ
−従来のスケジューラ１０４により選択されたＭＣＳ方式ＩＭＣＳ（この値は選ばれた変調レートＱｍ及びＴＢＳインデックスＩＴＢＳを表す）
−使用されたＰＲＢ数ＮＰＲＢ（この数は従来のスケジューラにより選択された予備的な伝送フォーマットを表す）、及び
−考慮されるＴＴＩにおけるトランスポートブロックＴＢｋの、全ての割り当てられたＰＲＢの位置
さまざまな実施形態では、スケジューラ１０４は、各スケジューリングされたＴＢｋについて、ＰＤＳＣＨのＥＰＲＥの予備的な電力値Ｐｉｎｐｕｔ（ｋ）も生成する。
【００６７】
図９は、あるＴＴＩ（時間領域ｔの）の従来のリソース割り当ての例を示しており、ここでは限定された８つのＰＲＢ（周波数領域ｆの）のみが考慮されるが、それにより一般性を失うことはない。実際は、ひとつのＴＴＩで利用可能なＰＲＢの総数は、帯域幅に依存する。（例えば、ＬＴＥシステムでは、ＢＷ＝２０ＭＨｚであり、周波数中には１００個のＰＲＢが存在する）
考慮される例では、３つのトランスポートブロック（又はパケット）が伝送のためにスケジューリングされており、この３つのパケットは次のようなトランスポートフォーマットを有する。
−ＴＢ１：ＴＢＳ＝５６（すなわち、トランスポートブロックサイズは５６ビット）、Ｑｍ＝２（すなわち、ＱＰＳＫ変調）、ＩＴＢＳ＝１、ＮＰＲＢ＝２
−ＴＢ２：ＴＢＳ＝２０８、Ｑｍ＝２、ＩＴＢＳ＝４、ＮＰＲＢ＝３、及び
−ＴＢ３：ＴＢＳ＝１４４、Ｑｍ＝４（すなわち、１６ＱＡＭ変調）、ＩＴＢＳ＝１０、ＮＰＲＢ＝１
したがって、第１のトランスポートブロックＴＢ１は、２つのＰＲＢ（例えば、ＰＲＢ＃１及び＃６）を占有し、第２のトランスポートブロックＴＢ２は３つのＰＲＢ（例えば、ＰＲＢ＃２、＃３、及び＃８）を占有し、第３のトランスポートブロックＴＢ３は１つのＰＲＢ（例えば、ＰＲＢ＃４）のみを占有する。ＰＲＢ＃５及び＃７は使用されずにおかれる。例えば、基準信号（ＲＳ）及び第１のＯＦＤＭシンボル（制御信号伝達により占有された）のみがＰＲＢ＃５及び＃７で伝送され、データのために確保されていたリソース要素（ＲＥ）は伝送されない。
【００６８】
さまざまな実施形態では、従来のスケジューラ１０４により選択されたＭＣＳ方式ＩＭＣＳは目標ＢＬＥＲ値と密接な関係があると考えられる。例えば、スケジューラ１０４は、その決定の基準をモバイル端末からくるＣＱＩ測定値においてもよい。
【００６９】
その点に関し、図１０ａ及び図１０ｂは、異なるＭＣＳ方式に対応する可能なリンク曲線を示しており、これらのＭＣＳ方式は一般的なトランスポートブロックＴＢｋのために用いることができる。
【００７０】
詳細には、図１０ａ及び１０ｂは、ＭＣＳ方式ＩＭＣＳ（１）、ＩＭＣＳ（２）、及びＩＭＣＳ（３）の可能なリンク曲線を示す。
図からわかるように、それぞれの曲線が、所与の目標ブロック誤り率ＢＬＥＲＴに対して異なる信号対干渉及び雑音比閾値ＳＩＮＲ１、ＳＩＮＲ２、及びＳＩＮＲ３を有することがある。
【００７１】
その結果、端末が、読み取ったＤＬのＳＩＮＲに関する特定の動作点を試す場合、これは（ＰＤＳＣＨのＥＰＲＥの特定の値を考慮すると）全てのＭＣＳ方式が所与の目標ＢＬＥＲを保証するために有効であるとは限らないことを意味する。なぜならこれら方式のいくつかは、所与のＳＩＮＲ動作点で、より高いＢＬＥＲ値を示すからである。
【００７２】
例えば、ＩＭＣＳ（２）の右側に位置するリンク曲線ＩＭＣＳ（３）は、より高いＢＬＥＲ値で動作点ＳＩＮＲ２をインターセプトし、ＩＭＣＳ（２）の左側の曲線ＩＭＣＳ（１）はより低いＢＬＥＲ値で動作点ＳＩＮＲ２をインターセプトする。
【００７３】
これはリンク曲線ＩＭＣＳ（３）は目標ＢＬＥＲ要件を満たすことができないが、ＩＭＣＳ（１）はＴＢｋの可能なＭＣＳ方式の候補の１つになり得ることを意味している。
さまざまな実施形態では、ＣＱＩマトリクスＣがブロック１１０の入力に与えられる。
【００７４】
さまざまな実施形態では、マトリクスＣは、所与のＴＴＩの帯域幅内の各スケジューリングされたＴＢｋ及び各ＰＲＢのＣＱＩインデックスを含む。
例えば、ＣＱＩマトリクスは、１から１５までの範囲のＣＱＩインデックスを含み、０は範囲外である。（例えば図５を参照）
【００７５】
【数４】
0005491642.tif 000005
【００７６】
ここでｃ（ｐ，  ｋ）は、ｐ番目の行とｋ番目の列にある要素である。
さまざまな実施形態では、従来のスケジューラから受けたＴＴＩのコンフィギュレーション及び全ての入力を考慮して、ブロック１１０は、ＥＥポスト−エラボレーションの適用に適する可能なトランスポートブロックのサブセットを選ぶ。例えば、このサブセットの選択において適用される詳細な規定は、使用される変調、既存のスケジューラ／リソース割り当てブロック１０４により第１のステージで適用される伝送フォーマット、考慮されるＴＴＩの自由な（ｆｒｅｅ）ＰＲＢの数及び位置、並びにこのＴＴＩの異なるＰＲＢに対する各ユーザのＣＱＩ測定値（もしあれば）が利用可能であるか、に依存し得る。
【００７７】
さまざまな実施形態では、ブロック１１０は、各ＴＢｋ（ＥＥポスト−エラボレーションの適用のために選ばれることになる候補）について、次のような動作を実行する。ここでｋ＝１，２，．．．，Ｋである。
−使用されるＰＲＢに関係する全ての値の集合ＣＱＩインデックスを計算する
−集合ＣＱＩインデックスを自由なＰＲＢのＣＱＩ値と比較する
最終的に、所与のトランスポートブロックＴＢｋに対するＥＥポスト−エラボレーションの適用に適した自由なＰＲＢのインデックスのセットＳＥＥ（ｋ）が空であれば、そのトランスポートブロックＴＢｋは選択される。
【００７８】
さまざまな実施形態では、集合ＣＱＩインデックスは、所与のＴＢｋのために割り当てられたＰＲＢ（インデックスｐをもつ）に属する全てのＣＱＩ値ｃ（ｐ，  ｋ）の中で最小であるＣＭＩＮ（ｋ）として計算される。
【００７９】
【数５】
0005491642.tif 000006
【００８０】
当業者であれば、集合ＣＱＩインデックスは他の方法でも求められることが分かるであろう。同様に、各ＰＲＢ及び各ユーザについて値ｃ（ｐ，  ｋ）が存在するという前提は、ＣＱＩアレイの定式化をできるだけ一般的なものにするために立てられるだけである。
【００８１】
さまざまな実施形態では、所与のユーザ又はトランスポートブロックｋの集合ＣＱＩインデックスは、自由なＰＲＢのＣＱＩ値ｃ（ｑ，  ｋ）と比較される。例えば、ｃ（ｑ，  ｋ）≧ｃＭＩＮ（ｋ）であるならば、個々のトランスポートブロックＴＢｋのデータを伝送するために、インデックスｑを有するＰＲＢが用いられ、その位置が記憶される。
【００８２】
一般に、ＰＲＢインデックスが異なるセットＳＥＥ（ｋ）に属する場合、それは異なるユーザ（又はトランスポートブロック）のデータを伝送するために用いることができる。しかし、単純化するために、以下の記載においてはこの具体的な事例について詳しく扱うことはしない。ただし、このような状況は、例えば最良のＣＱＩインデックスを有するＴＢｋを選ぶことにより対処することができる。さらに、ＰＲＢ割当てにおけるコンフリクトについても、例えば、節電全体を最大化する最良の解決策の反復的な検索によって、得られる節電全体と考慮されるＴＴＩの全ての可能なリソース割り当て解決策とを対比することにより対処することができる。
【００８３】
例えば、以下の例示的なＣＱＩマトリクス
【００８４】
【数６】
0005491642.tif 000007
【００８５】
と、予備的なリソース割り当て（図９参照）、すなわち
−ＴＢ１はＰＲＢ＃１及びＰＲＢ＃６に割り当てられる
−ＴＢ２はＰＲＢ＃２、ＰＲＢ＃３、及びＰＲＢ＃８に割り当てられる
−ＴＢ３はＰＲＢ＃４に割り当てられる、そして
−ＰＲＢ＃５及びＰＲＢ＃７は使用されない
とを考慮すると、トランスポートブロックＴＢ１について、自由なＰＲＢのＣＱＩインデックス（ｃ（５，１）＝１、及びｃ（７，１）＝２）は、ＴＢ１のＰＲＢのＣＱＩインデックス（ｃ（１，１）＝１及びｃ（６，１）＝１）より大きいか又は同等であることが観測できる。したがって、トランスポートブロックＴＢ１に対するＥＥポスト−エラボレーションの適用に適する自由なＰＲＢのインデックスのセットは、ＳＥＥ（１）＝｛５，７｝になる。
【００８６】
それとは反対に、トランスポートブロックＴＢ２のＣＱＩインデックス（ｃ（２，２）＝４，ｃ（３，２）＝５及びｃ（８，２）＝４）は、自由なＰＲＢのＣＱＩインデックス（ｃ（５，２）＝２及びｃ（７，２）＝３）よりも大きい。その結果、これらの自由なＰＲＢは、品質が使用されるＰＲＢ（＃２，＃３及び＃８）よりも劣る、すなわち、ＳＥＥ（２）＝φであるため、トランスポートブロックＴＢ２のデータを伝送するために用いることができない。
【００８７】
最後に、トランスポートブロックＴＢ３のＣＱＩインデックス（ｃ（４，３）＝６）は、自由なＰＲＢのＣＱＩインデックス（ｃ（５，３）＝５及びｃ（７，３）＝５）よりも大きい。その結果、この場合にも、トランスポートブロックＴＢ３に対するＥＥポスト−エラボレーションの適用に適する自由なＰＲＢのインデックスのセットも空になる、すなわち、ＳＥＥ（３）＝φになる。
【００８８】
その結果、上記の例では、トランスポートブロックＴＢ１のみがＥＥポスト−エラボレーションの適用に適していることになる。
さまざまな実施形態では、ブロック１１０は、各トランスポートブロックＴＢＫについて、２つの動作を実行してもよい。
−個々のＴＢを伝送するために必要なＰＲＢの数及び位置の一方又は双方を確認するために、ＩＭＣＳを再マッピングする
−伝送電力を修正する
詳細には、電力の修正は第１の段階における再マッピングの影響を補償し、なおかつ、個々のＴＢについて目標品質を維持して総伝送電力を減少させるために実行される。
【００８９】
さまざまな実施形態では、ブロック１１０は、選択されたトランスポートブロックＴＢＫについて、ＭＣＳ方式ＩＭＣＳは変えるが、同じ変調が維持できるようにすることを試みる。
【００９０】
図１１ａ及び図１１ｂは、ＭＣＳ方式ＩＭＣＳを変更するための例示的な実施形態を示す。
図１１ａに示す実施形態では、ブロック１１０は現在使用されているＭＣＳ方式の左側のＭＣＳ方式、例えば、ＩＭＣＳ（２）からＩＭＣＳ（１）への移行を評価する。したがって、ブロック１１０は、新しい組み合わせ（ＩＴＢＳ，  ＮＰＲＢ）を評価することにより冗長度を増大し、占有されているＰＲＢの数を増やそうとする。
【００９１】
図１１ｂに示される実施形態では、ブロック１１０は、現在使用されているＭＣＳ方式の右側のＭＣＳ方式、例えば、ＩＭＣＳ（３）からＩＭＣＳ（２）への移行を評価する。したがって、ブロック１１０は、新しい組み合わせ（ＩＴＢＳ，  ＮＰＲＢ）を評価することにより冗長度を低減し、占有されているＰＲＢの数を減らそうとする。
【００９２】
占有されたＰＲＢの数を減少させる動作は、全てのトランスポートブロックについて実行することができるが、トランスポートブロックを増大させる動作は、いくつかの未使用のＰＲＢが割り当てられていること、すなわち、個々のセットＳＥＥが空ではないことをＣＱＩマトリクスが示す場合にのみ実行できることが、当業者であれば理解できるであろう。
【００９３】
すでに上記で述べたように、ＭＣＳ方式の変更は、予想ＢＬＥＲ及び総伝送電力にも影響を与える可能性があり、予想ＢＬＥＲ及び総伝送電力は初期化の段階で記憶されたパラメータｂ（ｉ，  ｊ）で表される。
【００９４】
例えば、図１１ａに示される実施形態では、冗長度を増大し予想ＢＬＥＲを低減することにより、トランスポートブロックＴＢ１について、組み合わせ（ＩＴＢＳ，  ＮＰＲＢ）＝（１，２）から新しい組み合わせ（ＩＴＢＳ，  ＮＰＲＢ）＝（０，３）に移行させることが可能である。しかし、ＰＲＢの数を増大することにより、総伝送電力も増大し、パラメータｂ（ｉ，  ｊ）は次の値を有することになる。
【００９５】
【数７】
0005491642.tif 000008
【００９６】
その点に関し、図１２ａにトランスポートブロックＴＢ１の可能な再マッピングを示す。考慮される例では、トランスポートブロックＴＢ１のトランスポートフォーマットは、ＴＢＳ＝５６、Ｑｍ＝２、ＩＴＢＳ＝１、ＮＰＲＢ＝２から、ＴＢＳ＝５６、Ｑｍ＝２、ＩＴＢＳ＝０、ＮＰＲＢ＝３に変わり、したがって、自由なＰＲＢの１つ（例えば、ＰＲＢ＃７）がトランスポートブロックＴＢ１に追加的に割り当てられる。
【００９７】
例えば、図１１ｂに示される実施形態では、トランスポートブロックＴＢ１について、冗長度を低減して予想ＢＬＥＲを増大することにより、組み合わせ（ＩＴＢＳ，  ＮＰＲＢ）＝（１，２）から新しい組み合わせ（ＩＴＢＳ，  ＮＰＲＢ）＝（４，１）へ移行させることが可能である。この変更で総伝送電力が低減されてパラメータｂ（ｉ，  ｊ）は次の値を有することになる。
【００９８】
【数８】
0005491642.tif 000009
【００９９】
その点に関し、図１２ｂにトランスポートブロックＴＢ１の可能な再マッピングを示す。考慮される例では、トランスポートブロックＴＢ１のトランスポートフォーマットは、ＴＢＳ＝５６、Ｑｍ＝２、ＩＴＢＳ＝１、ＮＰＲＢ＝２からＴＢＳ＝５６、Ｑｍ＝２、ＩＴＢＳ＝４、ＮＰＲＢ＝１へ変わり、したがって、ＰＲＢの１つ（例えば、ＰＲＢ＃６）が取り除かれる。
【０１００】
上記の実施形態はともに、ＭＣＳ再マッピングをする機会のセット、すなわち、各選択されるトランスポートブロックＴＢｋの新しい組み合わせ（ＩＴＢＳ，  ＮＰＲＢ）、を求めるために実行されてもよい。さまざまな実施形態では、それからＭＣＳ再マッピングをする機会はさらなる処理のために記憶される。
【０１０１】
さまざまな実施形態では、ブロック１１０は、選択されたトランスポートブロックＴＢｋのＰＲＢの、ＰＤＳＣＨのＥＰＲＥの電力レベルの変更を試みる。ＭＣＳ再マッピングと同様に、このステップにも２つの可能な変更がありうる。
−ＭＣＳ再マッピングを補償するためにＰＤＳＣＨのＥＰＲＥの電力レベルを低減し、これによりＴＢの冗長度を増大する、すなわち、占有されるＰＲＢ数が増大する。
又は、
−ＭＣＳ再マッピングを補償するためにＰＤＳＣＨのＥＰＲＥの電力レベルを増大し、これによりＴＢの冗長度を低減する、すなわち、占有されるＰＲＢ数が低減する。
【０１０２】
その点に関し、図１３ａ及び図１３ｂは、両方の変更における可能な電力の調整を示す。
さまざまな実施形態では、ブロック１１０は、期待される目標ブロック誤り率ＢＬＥＲＴを回復するために、電力レベルを調整する。
【０１０３】
図１３ａに示される例では、ＭＣＳ方式はＩＭＣＳ（２）からＩＭＣＳ（１）へ変更され、同じ電力Ｐ１でより低いＢＬＥＲに到達することになる。したがって、ブロック１１０は、最初の目標ブロック誤り率ＢＬＥＲＴに到達するまで、電力をＰ１からＰ２へ低減することができる。
【０１０４】
逆に、図１３ｂに示される例では、ＭＣＳ方式がＩＭＣＳ（２）からＩＭＣＳ（３）に変更され、同じ電力Ｐ１でより高いＢＬＥＲに到達することになる。したがって、ブロック１１０は最初の目標ブロック誤り率ＢＬＥＲＴに到達するまで、電力をＰ１からＰ２へ増大することができる。
【０１０５】
さまざまな実施形態では、ブロック１１０は、最初のスケジューリング段階（ＭＣＳ再マッピング前）と同じ目標ＢＬＥＲに到達し、かつＭＣＳ再マッピングによる電力の変化を補償するために、ＰＤＳＣＨのＥＰＲＥレベルを変更する。
【０１０６】
実際には、必要とされる電力の変化はａ（ｉ，  ｊ）と少なくとも等しくあるべきである。
しかし、本発明の発明者は、この電力の変化は、ＭＣＳ再マッピングによるパラメータｂ（ｉ，  ｊ）で表される伝送電力への影響を考慮していないことに注目した。
【０１０７】
したがって、さまざまな実施形態では、ブロック１１０は総伝送電力の変化を評価し、総伝送電力はａ（ｉ，  ｊ）とｂ（ｉ，  ｊ）との合算により表される。
さまざまな実施形態では、ブロック１１０は、各選択されたトランスポートブロックＴＢｋ（予備的な伝送フォーマットｉをもつ）及び各可能な新しい伝送フォーマットｊについて、次のパラメータを計算する。
【０１０８】
ΔＧ（ｉ，  ｊ）＝ａ（ｉ，  ｊ）＋ｂ（ｉ，  ｊ）
このパラメータは、考慮されるトランスポートブロックＴＢｋの全体の電力バランスを示すものであり、２つの場合が生じる。
−ΔＧ（ｉ，  ｊ）≧０であれば、ＭＣＳ再マッピング及び電力調整後の結果として生じる伝送電力は増大し、ｊ番目の伝送フォーマットは、ｅＮＢ伝送のエネルギ効率を改善するのに適しないため、スキップされる。又は、
−ΔＧ（ｉ，  ｊ）＜０であれば、ＭＣＳ再マッピング及び電力調整後の結果として生じる伝送電力は低減するので、ｊ番目の伝送フォーマットは、ｅＮＢ伝送のエネルギ効率の改善に適している。したがって、この伝送フォーマットがＴＢｋの可能な伝送フォーマット候補として選択される。
【０１０９】
さまざまな実施形態では、値ΔＧ（ｉ，  ｊ）が最小閾値Ｔｈ＜０ｄＢと比較され、最小閾値Ｔｈ＜０ｄＢは考慮されるＴＢｋの最小節電目標に対応する。例えば、閾値Ｔｈは、リンク層モデルにおいて生じ得る不確定要素を考慮している。
【０１１０】
さまざまな実施形態では、ブロック１１０は、各選択されたＴＢｋについて、項ΔＧ（ｉ，  ｊ）を評価する。いくつかの項ΔＧ（ｉ，  ｊ）が負であれば、最良の伝送フォーマットｊＢＥＳＴが選ばれる（例えば、最小の項（ｍｉｎｉｍｕｍ  ｔｅｒｍ）、つまり、負の値は電力の低減を意味するため最大の節電になるもの）。
【０１１１】
したがって、最良の値ΔＧＢＥＳＴは、
ΔＧＢＥＳＴ＝ａ（ｉ，  ｊＢＥＳＴ）＋ｂ（ｉ，  ｊＢＥＳＴ）
のように計算され、ＰＤＳＣＨのＥＰＲＥの電力レベルは、以下のように更新される。
Ｐｏｕｔｐｕｔ（ｋ）＝Ｐｉｎｐｕｔ（ｋ）＋ａ（ｉ，  ｊＢＥＳＴ）
例えば、上述の例示的な伝送フォーマットである、
−伝送フォーマット＃０，  （ＩＴＢＳ，  ＮＰＲＢ）＝（４，１）
−伝送フォーマット＃１，  （ＩＴＢＳ，  ＮＰＲＢ）−（１，２）
−伝送フォーマット＃２，  （ＩＴＢＳ，  ＮＰＲＢ）＝（０，３）
を考慮すると、可能な解決策は、トランスポートブロックＴＢ１のトランスポートフォーマットをＩＭＣＳ（１）からＩＭＣＳ（２）へ変更することにより、冗長度を高めることであり、ここでａ（ｌ，２）＝−７．５ｄＢでありｂ（ｌ，２）＝＋１．７６ｄＢである。したがって、ΔＧ（１，２）は、
ΔＧ（１，２）＝−７．５ｄＢ＋１．７６ｄＢ＝−５．７４ｄＢ
となり、トランスポートブロックＴＢ１の総伝送電力を低減することができる。
【０１１２】
しかし、可能な解決策は、トランスポートブロックＴＢ１のトランスポートフォーマットをＩＭＣＳ（０）からＩＭＣＳ（１）へ変更することにより、冗長度を下げることであってもよい。ここでａ（１，０）＝＋３ｄＢであり、ｂ（１，０）＝−３ｄＢである。したがって、ΔＧ（１，０）は、
ΔＧ（１，０）＝＋３ｄＢ−３ｄＢ＝０ｄＢ
となり、トランスポートブロックＴＢ１の総伝送電力は実質的に同じままである。
【０１１３】
その結果、トランスポートブロックＴＢ１についての全ての可能な解決策を考慮する場合、ブロック１１０は、ΔＧＢＥＳＴ＝−５．７４ｄＢ（ここでｊ＝２）を選択し、トランスポートブロックＴＢ１の更新伝送フォーマットは組み合わせ（ＩＴＢＳ，  ＮＰＲＢ）＝（０，３）になり、ＰＤＳＣＨのＥＰＲＥの更新電力レベルは、Ｐｏｕｔｐｕｔ（１）＝Ｐｉｎｐｕｔ（１）−７．５ｄＢに変更される。
【０１１４】
一般に、複数のＴＢをブロック１１０により再割当てすることができる。この場合、ＰＲＢの割当におけるコンフリクトは、得られた全体の節電を、考慮されるＴＴＩの全ての可能なリソース割り当て解決策と比較することにより対処することができる。
【０１１５】
例えば、さまざまな実施形態では、ブロック１１０は、所与のＴＴＩの可能な解決策のために、トランスポートブロック候補の個々の利得関数ΔＧＢＥＳＴ（ｋ）を合算することにより集合利得関数を求める。
【０１１６】
【数９】
0005491642.tif 000010
【０１１７】
次にブロック１１０は、例えば、全体の節電を最大にする最良の解決策の反復的な検索によって最良の全体の利得ΔＧＳＵＭを選択することにより、異なるＴＴＩ解決策を比較することができる。
【０１１８】
最後に、ブロック１１０は更新値を出力することができる。この値は元の値と同じことがあるが、それはＥＥポスト−エラボレーションが次の２つの条件の影響を受けるからである。
−ＥＥポスト−エラボレーションの適用に適するトランスポートブロックを選択すること、及び
−エネルギ効率を高めるために、最良の伝送フォーマットを選択すること
一般に、ＥＥポスト−エラボレーションのための適切なトランスポートブロックが存在しないこと、及び従来のスケジューラが、エネルギ効率の点で優れた伝送フォーマットを、入力ですでに選んでいることの一方又は双方が生じ得る。この場合、対象となるブロックは予備的なスケジューリング／リソース割り当ての決定を何も変更しないため、トランスポートブロックではいずれの動作も実行されない。
【０１１９】
一方で、このようなポスト−エラボレーションが実行される場合は、ブロックは出力では同じ予想スループットをもたらすが、処理されたトランスポートブロックの電力消費はより低くなる。そしてｅＮＢダウンリンク伝送についての総節電は、各考慮されるＴＴＩの選択されたトランスポートブロックの全ての寄与の合算により得られる。
【０１２０】
さまざまな実施形態では、ブロック１１０はトランスポートブロックの一部又は全部を解放し、それらを、解決策を選択することにより再割り当てすることができ、これにより上述したような最良の全体の利得を提供する。
【０１２１】
本発明の基本的な原理を侵害することなく、本発明の詳細及び実施形態は、一例として記載されたことに対し、かなり大きな変更であっても添付の請求項で規定される本発明の範囲から逸脱しないかぎりは変更することができる。
【図１】
0005491642.tif 000011
【図２】
0005491642.tif 000012
【図３】
0005491642.tif 000013
【図４】
0005491642.tif 000014
【図５】
0005491642.tif 000015
【図６】
0005491642.tif 000016
【図７】
0005491642.tif 000017
【図８】
0005491642.tif 000018
【図９】
0005491642.tif 000019
【図１０ａ】
0005491642.tif 000020
【図１０ｂ】
0005491642.tif 000021
【図１１ａ）】
0005491642.tif 000022
【図１１ｂ）】
0005491642.tif 000023
【図１２ａ】
0005491642.tif 000024
【図１２ｂ】
0005491642.tif 000025
【図１３ａ）】
0005491642.tif 000026
【図１３ｂ）】
0005491642.tif 000027